(57)【要約】      （修正有）【課題】検出部の劣化を抑制しつつ、荷電粒子線の線量分布を把握することができる中性子捕捉療法装置、及び中性子捕捉療法用ターゲットを提供する。【解決手段】中性子捕捉療法装置は、荷電粒子線と接触することで荷電粒子線の電流値を検出する検出部１００を備えている。検出部１００は、荷電粒子線と直接接触して電流値を検出するため、検出部１００の検出結果を用いることにより荷電粒子線の線量分布を把握することができる。また、検出部１００は、ターゲット１０と接触している。従って、検出部１００に大電流の荷電粒子線が照射されて検出部１００が発熱した場合であっても、検出部１００の熱はターゲット１０へ拡散される。【選択図】図２
2018201774.tif 000002
【特許請求の範囲】
【請求項１】
荷電粒子線を出射する加速器と、
前記荷電粒子線が照射されることで中性子線を発生させる材質によって形成される中性子線生成部と、
前記荷電粒子線と接触することで前記荷電粒子線の電流値を検出する検出部と、を備え、
前記検出部は、前記中性子線生成部と接触している、中性子捕捉療法装置。
【請求項２】
前記検出部は、前記中性子線生成部の内部に配置されている、請求項１に記載の中性子捕捉療法装置。
【請求項３】
前記検出部は、導体部、及び当該導体部の周囲を覆う絶縁部を備え、
前記導体部は、前記中性子線生成部に対して絶縁されている、請求項１又は２に記載の中性子捕捉療法装置。
【請求項４】
前記荷電粒子線を走査して前記中性子線生成部に照射する走査部を更に備え、
前記検出部は、
前記荷電粒子線の照射軸方向と交差する第１の方向に延伸する第１の延伸部と、
前記照射軸方向及び前記第１の方向と交差する第２の方向に延伸する第２の延伸部と、を備える、請求項１〜３の何れか一項に記載の中性子捕捉療法装置。
【請求項５】
荷電粒子線が照射されることで中性子線を発生させる材質によって形成される固体形状の中性子捕捉療法用ターゲットであって、
前記荷電粒子線と接触することで前記荷電粒子線の電流値を検出し、前記中性子捕捉療法用ターゲットと接触している検出部、を備える中性子捕捉療法用ターゲット。
【発明の詳細な説明】
【技術分野】
【０００１】
本発明は、中性子捕捉療法装置、及び中性子捕捉療法用ターゲットに関する。
【背景技術】
【０００２】
従来、中性子線を照射してがん細胞を死滅させる中性子捕捉療法として、ホウ素化合物を用いたホウ素中性子捕捉療法（ＢＮＣＴ：Boron Neutron Capture Therapy）が知られている。ホウ素中性子捕捉療法では、がん細胞に予め取り込ませておいたホウ素に中性子線を照射し、これにより生じる重荷電粒子の飛散によってがん細胞を選択的に破壊する。
【０００３】
このような中性子捕捉療法で用いられる装置として、例えば、特許文献１には、ターゲットに照射される荷電粒子線の線量を検出する装置が記載されている。検出部として、非接触型の電流モニタが用いられている。非接触型の電流モニタは、荷電粒子線と直接接触することなく、当該荷電粒子線の電流を検出することができる。
【先行技術文献】
【特許文献】
【０００４】
【特許文献１】国際特許公報２０１２／０１４６７１号パンフレット
【発明の概要】
【発明が解決しようとする課題】
【０００５】
ここで、上述のような非接触型の電流モニタは、電流値の総量、すなわち荷電粒子線の線量の総量を把握することができるが、荷電粒子線の線量分布を把握することができない。一方、接触型の電流モニタを用いる場合、荷電粒子線の線量分布を把握することができる。しかしながら、中性子捕捉療法装置では、大電流の荷電粒子線が用いられる。従って、大電流の荷電粒子線を接触型の電流モニタへ照射すると、電流モニタが早期に劣化してしまうという問題が生じる。
【０００６】
従って、本発明は、検出部の劣化を抑制しつつ、荷電粒子線の線量分布を把握することができる中性子捕捉療法装置、及び中性子捕捉療法用ターゲットを提供することを目的とする。
【課題を解決するための手段】
【０００７】
本発明に係る中性子捕捉療法装置は、荷電粒子線を出射する加速器と、荷電粒子線が照射されることで中性子線を発生させる材質によって形成される中性子線生成部と、荷電粒子線と接触することで荷電粒子線の電流値を検出する検出部と、を備え、検出部は、中性子線生成部と接触している。
【０００８】
本発明に係る中性子捕捉療法装置は、荷電粒子線と接触することで荷電粒子線の電流値を検出する検出部を備えている。検出部は、荷電粒子線と直接接触して電流値を検出するため、検出部の検出結果を用いることにより荷電粒子線の線量分布を把握することができる。また、検出部は、中性子線生成部と接触している。従って、検出部に大電流の荷電粒子線が照射されて検出部が発熱した場合であっても、検出部の熱は中性子線生成部へ拡散される。これにより、検出部を冷却することができる。以上により、検出部の劣化を抑制しつつ、荷電粒子線の線量分布を把握することができる。
【０００９】
中性子捕捉療法装置において、検出部は、中性子線生成部の内部に配置されていてよい。これにより、検出部が中性子生成部に取り囲まれる構成となるため、中性子生成部への検出部で発生した熱の拡散性が向上する。
【００１０】
中性子捕捉療法装置において、検出部は、導体部、及び当該導体部の周囲を覆う絶縁部を備え、導体部は、中性子線生成部に対して絶縁されていてよい。これにより、導体部と中性子線生成部とを絶縁部によって絶縁することができる。
【００１１】
中性子捕捉療法装置において、荷電粒子線を走査して中性子線生成部に照射する走査部を更に備え、検出部は、荷電粒子線の照射軸方向と交差する第１の方向に延伸する第１の延伸部と、照射軸方向及び第１の方向と交差する第２の方向に延伸する第２の延伸部と、を備えてよい。これにより、検出部は、互いに異なる方向へ延伸する第１の延伸部と第２の延伸部によって、中性子線生成部の広範囲にわたって荷電粒子線を検出することができる。
【００１２】
本発明に係る中性子捕捉療法用ターゲットは、荷電粒子線が照射されることで中性子線を発生させる材質によって形成される固体形状の中性子捕捉療法用ターゲットであって、荷電粒子線と接触することで荷電粒子線の電流値を検出し、固体形状の中性子捕捉療法用ターゲットと接触している検出部、を備える。
【００１３】
本発明に係る中性子捕捉療法用ターゲットによれば、上述の中性子捕捉療法装置と同様の作用・効果を得ることができる。
【発明の効果】
【００１４】
本発明によれば、検出部の劣化を抑制しつつ、荷電粒子線の線量分布を把握することができる中性子捕捉療法装置、及び中性子捕捉療法用ターゲットを提供できる。
【図面の簡単な説明】
【００１５】
【図１】本発明の実施形態に係る中性子捕捉療法装置を示す概略図である。
【図２】本実施形態に係るターゲットの構成を示す斜視図である。
【図３】図２（ｂ）に示すＩＩＩ−ＩＩＩ線に沿った断面図である。
【図４】検出部による荷電粒子線の線量の検出について説明するための模式図である。
【図５】第１の延伸部及び第２の延伸部によって検出される電流値を示すグラフである。
【発明を実施するための形態】
【００１６】
以下、本発明の好適な実施形態について、図面を参照して詳細に説明する。
【００１７】
まず、本発明の実施形態に係る中性子捕捉療法装置１を例にとり、中性子捕捉療法装置１の概要について図１を参照しつつ説明する。図１に示される中性子捕捉療法装置１は、ホウ素中性子捕捉療法（ＢＮＣＴ：Boron Neutron Capture Therapy）を用いたがん治療を行う装置である。中性子捕捉療法装置１では、例えばホウ素（１０Ｂ）が投与された患者（被照射体）５０の腫瘍に中性子線Ｎを照射する。
【００１８】
中性子捕捉療法装置１は、加速器２を備えている。加速器２は、陰イオン等の荷電粒子を加速して、荷電粒子線Ｒを出射する。加速器２は、例えばサイクロトロンによって構成される。本実施形態において、荷電粒子線Ｒは陰イオンから電荷を剥ぎ取って生成した陽子ビームである。この加速器２は、例えば、ビーム半径４０ｍｍ、６０ｋＷ（＝３０ＭｅＶ×２ｍＡ）の荷電粒子線Ｒを生成する。なお、加速器は、サイクロトロンに限られず、シンクロトロンやシンクロサイクロトロン、ライナック、静電加速器などであってもよい。
【００１９】
加速器２から出射された荷電粒子線Ｒは、中性子線生成部Ｍへ送られる。中性子線生成部Ｍは、ビームダクト９とターゲット（中性子線生成部、中性子捕捉療法用ターゲット）１０とからなる。加速器２から出射された荷電粒子線Ｒは、ビームダクト９を通り、ビームダクト９の端部に配置されたターゲット１０へ向かって進行する。このビームダクト９に沿って複数の四極電磁石４、及び走査電磁石（走査部）６が設けられている。複数の四極電磁石４は、例えば電磁石を用いて荷電粒子線Ｒのビーム軸調整を行うものである。
【００２０】
走査電磁石６は、荷電粒子線Ｒを走査し、ターゲット１０に対する荷電粒子線Ｒの照射制御を行うものである。この走査電磁石６は、荷電粒子線Ｒのターゲット１０に対する照射位置を制御する。
【００２１】
中性子捕捉療法装置１は、荷電粒子線Ｒをターゲット１０に照射することにより中性子線Ｎを発生させ、患者５０に向かって中性子線Ｎを出射する。中性子捕捉療法装置１は、ターゲット１０、遮蔽体８、減速材３９、コリメータ２０を備えている。
【００２２】
ターゲット１０は、荷電粒子線Ｒの照射を受けて中性子線Ｎを生成するものである。ターゲット１０は、荷電粒子線が照射されることで中性子線を発生させる材質によって形成される固体形状の部材である。具体的に、ターゲット１０は、例えば、ベリリウム（Ｂｅ）やリチウム（Ｌｉ）、タンタル（Ｔａ）、タングステン（Ｗ）により形成され、例えば直径１６０ｍｍの円板状の固体形状をなしている。なお、ターゲット１０は、円板状に限らず、他の形状であってもよい。
【００２３】
ターゲット１０には、冷却部材１２０が接続されている。冷却部材１２０は、例えば、ターゲット１０と接触する接触面に複数の溝を有し、当該溝に冷却流体を流すことによって、ターゲット１０を冷却する。
【００２４】
減速材３９は、ターゲット１０で生成された中性子線Ｎを減速させる（中性子線Ｎのエネルギーを低下させる）ものである。減速材３９は、中性子線Ｎに含まれる速中性子を主に減速させる層３９Ａと、中性子線Ｎに含まれる熱外中性子を主に減速させる層３９Ｂと、からなる積層構造を有していてよい。
【００２５】
遮蔽体８は、発生させた中性子線Ｎ、及び当該中性子線Ｎの発生に伴って生じたガンマ線等を外部へ放出されないよう遮蔽するものである。遮蔽体８は、減速材３９を囲むように設けられている。遮蔽体８の上部及び下部は、減速材３９より荷電粒子線Ｒの上流側に延在している。
【００２６】
コリメータ２０は、中性子線Ｎの照射野を整形するものであり、中性子線Ｎが通過する開口２０ａを有する。コリメータ２０は、例えば中央に開口２０ａを有するブロック状の部材である。
【００２７】
次に、図２〜図５を参照して、本実施形態に係るターゲット１０の詳細な構成について説明する。図２に示すように、ターゲット１０は、荷電粒子線Ｒと接触することで荷電粒子線Ｒの電流値を検出する検出部１００を備えている。本実施形態では、検出部１００は、荷電粒子線Ｒの照射軸方向Ｄ３と交差する第１の方向Ｄ１に延伸する第１の延伸部１００Ａと、照射軸方向及び第１の方向Ｄ１と交差する第２の方向Ｄ２に延伸する第２の延伸部１００Ｂと、を備えている。第１の方向Ｄ１は、照射軸方向Ｄ３と直交する方向であり、第２の方向Ｄ２は、照射軸方向Ｄ３及び第１の方向Ｄ１と直交する方向である。このように、第１の方向Ｄ１に真っすぐ延伸する線状の第１の延伸部１００Ａと、第２の方向Ｄ２に真っすぐ延伸する線状の第２の延伸部１００Ｂとが組み合わせられることで、ターゲット１０に十字状に検出部１００が設けられる。
【００２８】
本実施形態では、検出部１００は、ターゲット１０の内部に設けられている。第１の延伸部１００Ａは、ターゲット１０の内部に配置される部分１００Ａａを有している。また、第１の延伸部１００Ａは、当該ターゲット１０の内部に配置される部分１００Ａａの両側から、ターゲット１０の外部に引き出される部分１００Ａｂを有している。第２の延伸部１００Ｂは、ターゲット１０の内部に配置される部分１００Ｂａを有している。また、第２の延伸部１００Ｂは、当該ターゲット１０の内部に配置される部分１００Ｂａの両側から、ターゲット１０の外部に引き出される部分１００Ｂｂを有している。なお、図２に示す例では、第１の延伸部１００Ａと第２の延伸部１００Ｂとが交差する箇所では、第１の延伸部１００Ａが第２の延伸部１００Ｂを回避するように湾曲しているが、第２の延伸部１００Ｂが湾曲してもよく、第１の延伸部１００Ａ及び第２の延伸部１００Ｂが両方湾曲してもよい。あるいは、ターゲット１０内部での照射軸方向Ｄ３における位置が、第１の延伸部１００Ａと第２の延伸部１００Ｂとで異なり、これによって第１の延伸部１００Ａ及び第２の延伸部１００Ｂが互いに干渉しないように配置されてもよい。
【００２９】
ターゲット１０は、検出部１００を内部に配置するために、照射軸方向Ｄ３に二つに分割されている。ターゲット１０は、第１のピース１０Ａと、第２のピース１０Ｂとで、検出部１００を挟み込むことによって構成されている。なお、第１のピース１０Ａ及び第２のピース１０Ｂは、検出部１００を配置するための溝部１１０Ａ及び溝部１１０Ｂをそれぞれ有している。第１のピース１０Ａの溝部１１０Ａは、第１の延伸部１００Ａを配置するために、第１の方向Ｄ１へまっすぐに延びる部分と、第２の延伸部１００Ｂを配置するために、第２の方向Ｄ２へまっすぐに延びる部分と、を有している。第２のピース１０Ｂの溝部１１０Ｂは、第１の延伸部１００Ａを配置するために、第１の方向Ｄ１へまっすぐに延びる部分と、第２の延伸部１００Ｂを配置するために、第２の方向Ｄ２へまっすぐに延びる部分と、を有している。なお、第１のピース１０Ａ及び第２のピース１０Ｂは、一方のみが溝部を有していてもよい。
【００３０】
次に、図３を参照して、検出部１００の第１の延伸部１００Ａの形状、及びそれに対応するターゲット１０の形状について、より詳細に説明する。なお、第２の延伸部１００Ｂは、第１の延伸部１００Ａと同趣旨の構成を有しているため、説明を省略する。図３に示すように、検出部１００の第１の延伸部１００Ａは、導電性の導体部１０１と、導体部１０１を取り囲む絶縁部１０２と、を備える。導体部１０１は、荷電粒子線Ｒと接触することで、電流が流れる線状の部材である。導体部１０１は、接触した荷電粒子線Ｒの線量に応じた電流値の電流を流す。導体部１０１は、例えば、銅、アルミニウムなどの材質によって構成される。絶縁部１０２は、導体部１０１とターゲット１０との間を絶縁する部材として機能する。また、絶縁部１０２は、荷電粒子線Ｒが照射されたときに導体部１０１で発生する熱をターゲット１０へ拡散する機能を有する。絶縁部１０２は、導体部１０１を全集にわたって覆っている。本実施形態では、導体部１０１の断面は円形に形成されている。絶縁部１０２は、導体部１０１を取り囲む円環状に形成されている。ただし、導体部１０１及び絶縁部１０２の断面形状は特に限定されるものではなく、例えば楕円状や多角形状に形成されてもよい。
【００３１】
ターゲット１０の第１のピース１０Ａの溝部１１０Ａ及び第２のピース１０Ｂの溝部１１０Ｂは、互いに組み合わせられることによって第１の延伸部１００Ａの外形、すなわち絶縁部１０２の外形に対応する形状を有する。本実施形態では、溝部１１０Ａ及び溝部１１０Ｂは半円状の断面形状を有する。また、溝部１１０Ａ及び溝部１１０Ｂは、第１の延伸部１００Ａ、すなわち絶縁部１０２の外周面と接触している。なお、溝部１１０Ａ及び溝部１１０Ｂの形状は、第１の延伸部１００Ａの外形が変更された場合は、当該形状に合わせて適宜変更されてよい。また、第１の延伸部１００Ａは、ターゲット１０内部の全域にわたってターゲット１０と接触していなくともよく、一部の領域がターゲット１０から離間していてもよい。
【００３２】
次に、図４を参照して、検出部１００による荷電粒子線Ｒの線量の検出について詳細に説明する。図４に示すように、第１の延伸部１００Ａのうち、ターゲット１０から引き出された部分１００Ａｂは、端子１０５及び配線１０６を介して、測定部１５０に接続される。また、第２の延伸部１００Ｂのうち、ターゲット１０から引き出された部分１００Ｂｂは、端子１０５及び配線１０６を介して、測定部１５０に接続される。
【００３３】
ターゲット１０に対して照射される荷電粒子線Ｒの範囲を照射範囲Ｅとする。ここでは、照射範囲Ｅの形状は正円であるものとする。走査電磁石６（図１参照）は、荷電粒子線Ｒの照射範囲Ｅがターゲット１０上で円、又は螺旋の軌道を描くように、荷電粒子線Ｒを走査させる。すなわち、照射範囲Ｅは、走査電磁石６で走査することで荷電粒子線Ｒが通過し得る領域全体のことを指すのではなく、荷電粒子線Ｒの走査を止めたときに荷電粒子線Ｒが照射される範囲を指す。前述のように、第１の延伸部１００Ａ及び第２の延伸部１００Ｂは、十字状に配置されている。すなわち、中心軸周りに９０°間隔で第１の延伸部１００Ａ、又は第２の延伸部１００Ｂが配置される。従って、荷電粒子線Ｒを走査させると、荷電粒子線Ｒは、一定の周期で第１の延伸部１００Ａ、又は第２の延伸部１００Ｂと接触する。
【００３４】
図５の上段のグラフは、第１の延伸部１００Ａによって検出される電流値を示し、下段のグラフは、第２の延伸部１００Ｂによって検出される電流値を示す。例えば、図４において、荷電粒子線Ｒが、第２の延伸部１００Ｂのうちターゲット１０の中心より左側の部分、第１の延伸部１００Ａのうちターゲット１０の中心より上側の部分、第２の延伸部１００Ｂのうちターゲット１０の中心より右側の部分、及び第１の延伸部１００Ａのうちターゲット１０の中心より下側の部分、の順で接触するものとする。この場合、図５に示すように、下段のグラフの電流値が立ち上がり（ピークＰ１）、上段のグラフの電流値が立ち上がり（ピークＰ２）、下段のグラフの電流値が立ち上がり（ピークＰ３）、上段のグラフの電流値が立ち上がる（ピークＰ４）。なお、各ピーク間の時間は、一定ピッチとなる。
【００３５】
電流値の立ち上がり態様について、第１の延伸部１００Ａのうちターゲット１０の中心より上側の部分に荷電粒子線Ｒが接触するときの様子を例にして説明する。荷電粒子線Ｒが円軌道で走査され、荷電粒子線Ｒの照射範囲Ｅの縁部付近が、第１の延伸部１００Ａに接触すると（図４の「Ｂ」に示す状態）、第１の延伸部１００Ａで検出される電流値が立ち上がる（例えば図５の時間ｔ１で示す部分を参照）。ここで、荷電粒子線Ｒは、照射範囲Ｅの中心ほど単位面積当たりの線量が大きく、縁部へ向かうほど単位面積当たりの線量が小さくなる。更に、荷電粒子線Ｒは、照射範囲Ｅの中心ほど第１の延伸部１００Ａと接触する照射面積が広く、縁部へ向かうほど第１の延伸部１００Ａと接触する照射面積が狭くなる。従って、照射範囲Ｅの縁部が第１の延伸部１００Ａに接触している状態では、検出される電流値は小さい。この状態から更に荷電粒子線Ｒの走査が進むと、徐々に電流値が大きくなる。そして、照射範囲Ｅの中心が第１の延伸部１００Ａの位置まで来ると（図４の「Ａ」で示す状態）、第１の延伸部１００Ａで検出される電流値がピークＰ２となる（図５参照）。その後、照射範囲Ｅが更に走査されると、徐々に電流値が小さくなる。
【００３６】
従って、検出部１００の測定部１５０は、は、図５に示すような電流値の波形に基づいて、荷電粒子線Ｒの線量分布を把握することができる。また、測定部１５０は、荷電粒子線Ｒの線量分布に基づいて、荷電粒子線Ｒの照射が正常に行われているかを監視することができる。また、測定部１５０は、ピークＰ１〜Ｐ４が形成される各位置での線量分布を把握することができる。例えば、ピークでの電流値が所定の値にまで達しておらず、電流値の立ち上がりによって形成される山が広がりすぎている場合、またはピークでの電流値が高すぎであり、電流値の立ち上がりによって形成される山が狭すぎる場合などは、測定部１５０は、照射範囲Ｅ内での線量分布の調整に異常があることを検出することができる。また、各ピークのピッチが一定になっていない場合、測定部１５０は、走査電磁石６による荷電粒子線の走査に異常があることを検出できる。
【００３７】
次に、本実施形態に係る中性子捕捉療法装置１、及びターゲット１０の作用・効果について説明する。
【００３８】
本実施形態に係る中性子捕捉療法装置１は、荷電粒子線Ｒと接触することで荷電粒子線Ｒの電流値を検出する検出部１００を備えている。検出部１００は、荷電粒子線Ｒと直接接触して電流値を検出するため、検出部１００の検出結果を用いることにより荷電粒子線Ｒの線量分布を把握することができる。また、検出部１００は、ターゲット１０と接触している。従って、検出部１００に大電流の荷電粒子線が照射されて検出部１００が発熱した場合であっても、検出部１００の熱はターゲット１０へ拡散される。更に、ターゲット１０には、冷却部材１２０が接続されている。従って、冷却部材１２０は、ターゲット１０を介して検出部１００を冷却することができる。これにより、検出部１００を冷却することができる。以上により、検出部１００の劣化を抑制しつつ、荷電粒子線Ｒの線量分布を把握することができる。
【００３９】
中性子捕捉療法装置１において、検出部１００は、ターゲット１０の内部に配置されていてよい。これにより、検出部１００がターゲット１０に取り囲まれる構成となるため、ターゲット１０への検出部１００で発生した熱の拡散性が向上する。
【００４０】
中性子捕捉療法装置１において、検出部１００は、導体部１０１、及び当該導体部１０１の周囲を覆う絶縁部１０２を備え、導体部１０１は、ターゲット１０に対して絶縁されていてよい。これにより、導体部１０１とターゲット１０とを絶縁部１０２によって絶縁することができる。
【００４１】
中性子捕捉療法装置１において、荷電粒子線Ｒを走査してターゲット１０に照射する走査電磁石６を更に備え、検出部１００は、荷電粒子線Rの照射軸方向と交差する第１の方向Ｄ１に延伸する第１の延伸部１００Ａと、照射軸方向Ｄ３及び第１の方向Ｄ１と交差する第２の方向Ｄ２に延伸する第２の延伸部１００Ｂと、を備えてよい。これにより、検出部１００は、互いに異なる方向へ延伸する第１の延伸部１００Ａと第２の延伸部１００Ｂによって、ターゲット１０の広範囲にわたって荷電粒子線Ｒを検出することができる。
【００４２】
本実施形態に係るターゲット１０は、荷電粒子線Ｒが照射されることで中性子線Ｎを発生させる材質によって形成される固体形状のターゲット１０であって、荷電粒子線Ｒと接触することで荷電粒子線Ｒの電流値を検出し、ターゲット１０と接触している検出部１００、を備える。
【００４３】
本実施形態に係るターゲット１０によれば、上述の中性子捕捉療法装置１と同様の作用・効果を得ることができる。
【００４４】
本発明は、上述の実施形態に限定されるものではない。
【００４５】
例えば、上述の実施形態では、検出部は、二本の延伸部によってターゲットの中心軸回りに９０°間隔で検出できる構成とされていたが、検出部はどのように構成されてもよい。例えば、二本以上の延伸部を用いることで、ターゲットの中心軸回りに９０°以下の間隔で検出できる構成としてもよい。また、検出部は、複数本の延伸部を交差させることなく、互いに平行となるように配置することで構成されてもよい。また、検出部は、複数本の延伸部を網目状に配置することで構成されてもよい。あるいは、検出部は、一本の延伸部のみで構成されてもよい。また、検出部を構成する絶縁部付きの電線は、所定の方向に延伸していなくともよく、ターゲット内で曲がるように配置されてもよい。
【００４６】
また、上述の実施形態では、検出部はターゲットの内部に設けられていたが、ターゲットと接触している限り、ターゲットから露出するように配置されていてもよい。
【００４７】
また、上述の実施形態では、第１の延伸部１００Ａは、第１の方向Ｄ１において、両端側からターゲット１０から部分１００Ａｂが引き出され、それぞれ測定部１５０に接続されていた。これに代えて、第１の延伸部１００Ａは、第１の方向Ｄ１における何れか一端側のみで測定部１５０に接続されてよい。また、第２の延伸部１００Ｂも、第２の方向Ｄ２における何れか一端側のみで測定部１５０に接続されてよい。
【符号の説明】
【００４８】
１…中性子捕捉療法装置、２…加速器、６…走査電磁石（走査部）１０…ターゲット（中性子線生成部、中性子捕捉療法用ターゲット）、１００…検出部、１００Ａ…第１の延伸部、１００Ｂ…第２の延伸部、１０１…導体部、１０２…絶縁部。
【図１】
2018201774.tif 000003
【図２】
2018201774.tif 000004
【図３】
2018201774.tif 000005
【図４】
2018201774.tif 000006
【図５】
2018201774.tif 000007